(57)【要約】【課題】紙葉類の表裏反転にかかる処理時間の短縮化を図るようにした表裏反転装置を提供する。【解決手段】この表裏反転装置１０において、紙葉類Ｓを確実に反転させるため、紙葉類Ｓは、反転ベルト３１に対して高摩擦抵抗を維持しつつ、反転部３０に対し低摩擦抵抗であることが要求される。そこで、反転部３０の表面には、斜め掛けされた反転ベルト３１に沿うようにして複数のエアー吹出し部４０が形成されている。よって、エアー吹出し部４０から所定圧のエアーを吹き出すことで、紙葉類Ｓを反転部３０の表面から僅かに浮かせることができる。従って、反転部３０に対しては、低摩擦抵抗をもって紙葉類を搬送させることができるので、紙葉類Ｓは、反転ベルト３１の掛け渡し方向に沿ってスムーズに表裏反転することになる。また、吹出しエアーを利用することで、紙葉類Ｓの高速反転中において、反転ベルト３１や紙葉類Ｓの発熱を効率良く抑えることもできる。【選択図】  図５
2004189399.tif 000002
【特許請求の範囲】
【請求項１】
搬送経路上で搬送される紙葉類の表裏を反転させるための表裏反転装置において、
前記紙葉類の搬送方向に延在する反転部と、
一部が前記反転部に沿うようにして、前記反転部の長手方向に対し斜めに掛けられた反転ベルトと、
前記反転ベルトを駆動させる駆動手段と、
前記反転ベルトに沿って前記反転部の表面に形成された複数のエアー吹出し部とを備えたことを特徴とする表裏反転装置。
【請求項２】
前記エアー吹出し部は、エアー吹出し孔であることを特徴とする請求項１記載の表裏反転装置。
【発明の詳細な説明】
【０００１】
【発明の属する技術分野】
本発明は、紙幣、証券等の紙葉類の表裏を反転させるための表裏反転装置に関するものである。
【０００２】
【従来の技術】
従来、このような分野の技術として、特開平９−８１８２９号公報に開示されている。この公報に記載された表裏反転装置は、紙幣の搬送方向に延在する回転自在な切替えブレードを有している。そして、反転処理予定の紙幣が搬送されてきた場合には、切替えブレードは紙幣の搬送方向に対して平行になり、紙幣は切替えブレード上を搬送されて、搬送路外に排出される。このようにして搬送路外に排出された紙幣は、所定位置で一旦停止する。そして、切替えブレードを所定の角度だけ傾けた後、紙幣を切替えブレードに向けて逆送させると、紙幣はその後端側から搬送路に戻され、紙幣の表裏反転が完了する。
【０００３】
【特許文献１】
特開平９−８１８２９号公報
【０００４】
【発明が解決しようとする課題】
しかしながら、前述した従来の表裏反転装置には、次のような課題が存在している。すなわち、搬送中の紙幣を反転時に一旦停止させているため、紙幣の表裏反転にかかる処理時間が長くならざるを得ず、高速反転処理の弊害となっていた。
【０００５】
本発明は、上述の課題を解決するためになされたもので、紙葉類の表裏反転にかかる処理時間の短縮化を図るようにした表裏反転装置を提供することを目的とする。
【０００６】
【課題を解決するための手段】
本発明に係る表裏反転装置は、搬送経路上で搬送される紙葉類の表裏を反転させるための表裏反転装置において、紙葉類の搬送方向に延在する反転部と、一部が反転部に沿うようにして、反転部の長手方向に対し斜めに掛けられた反転ベルトと、反転ベルトを駆動させる駆動手段と、反転ベルトに沿って反転部の表面に形成された複数のエアー吹出し部とを備えたことを特徴とする。
【０００７】
この表裏反転装置において、駆動手段により反転ベルトが駆動されている状態で紙葉類が搬入されると、紙葉類は反転ベルトと反転部との間で挟まるようにして、反転ベルトの移動に追従し搬送方向に移動する。そして、紙葉類を反転させるために、反転ベルトは、反転部の長手方向に対して斜めに沿うように掛けられることになる。このとき、紙葉類を確実に反転させるため、紙葉類は、反転ベルトに対して高摩擦抵抗を維持しつつ、反転部に対し低摩擦抵抗であることが要求される。そこで、反転部の表面には、斜め掛けされた反転ベルトに沿うようにして複数のエアー吹出し部が形成されている。よって、エアー吹出し部から所定圧のエアーを吹き出すことで、紙葉類を反転部の表面から僅かに浮かせることができる。従って、反転部に対しては、低摩擦抵抗をもって紙葉類を搬送させることができるので、紙葉類は、反転ベルトの掛け渡し方向に沿ってスムーズに表裏反転することになる。また、吹出しエアーを利用することで、紙葉類の高速反転中において、反転ベルトや紙葉類の発熱を効率良く抑えることもできる。そして、紙葉類の確実な表裏反転と、紙葉類の表裏反転にかかる処理時間の短縮とが図られる。
【０００８】
また、エアー吹出し部は、エアー吹出し孔であると好適である。このような構成を採用すると、反転ベルトの真下において紙葉類に対し均一な空気を当て続けることができる。
【０００９】
【発明の実施の形態】
以下、図面を参照しつつ本発明に係る表裏反転装置の好適な実施形態について詳細に説明する。
【００１０】
図１及び図２に示された表裏反転装置１０は、上部に入口（ＩＮ）が設けられ、下部に出口（ＯＵＴ１）が設けられた縦型の表裏反転装置である。この表裏反転装置１０は、２枚の平行な側板１１，１２と、この両側板１１，１２の下端で側板１１，１２間に架け渡された底板１３とからなるハウジング１４を有している。このハウジング１４内には、紙葉類（例えば、紙幣やカード類）Ｓを上から下に向けて落下させるように搬送する搬送経路Ｈが設けられ、この搬送経路Ｈの途中に反転手段Ｐが設けられている。
【００１１】
この搬送経路Ｈは、主としてローラと無端ベルトとの組み合わせにより構成され、ハウジング１４の上部には、複数の案内ローラと無端ベルトが配置され、所定の流入路を作り出している。具体的に、この流入路は、一対の第１の案内ローラ１６ａ，１６ｂ間に架け渡されて水平に延在する第１の無端搬送ベルト１７と、この無端搬送ベルト１７の前側において前方の第１の案内ローラ１６ａに上方から押し付けられた導入ローラ１８と、無端搬送ベルト１７の後側において後方の第１の案内ローラ１６ｂに上から押し当てられた第２の無端搬送ベルト１９とで構成されている。なお、第２の無端搬送ベルト１９は、三点配置された第２の案内ローラ２０間に架け渡され、第２の無端搬送ベルト１９に所定のテンションを作り出している。また、流入路の最後端では、第３の案内ローラ２１が第２の案内ローラ２０に押し当てられている。
【００１２】
このような流入路から排出された紙葉類Ｓは、一対の繰り入れローラ２２によって挟まれながら反転手段Ｐ内に導かれる。これに対し、反転手段Ｐから排出された紙葉類Ｓは、一対の繰り出しローラ２３によって出口（ＯＵＴ１）に向けて排出される。また、一方の繰り出しローラ２３と出口側に配置した第３の案内ローラ２４とは、水平に延在する第３の無端搬送ベルト２６を介して連結されている。そして、出口側において、第３の案内ローラ２４には、下側から排出ローラ２７が押し当てられている。なお、前述した種々のローラは、側板１１，１２の外方で適切に掛け渡されたタイミングベルトＴ（一点鎖線参照）によって同期して回転し、各タイミングベルトＴは一個のモータ２８によって駆動する。
【００１３】
なお、図１に示すように、搬送経路Ｈの途中には、反転予定でない紙葉類Ｓが反転手段Ｐに送り込まれる前に外部へ排出することを目的にした途中排出経路が設けられている。この途中排出経路は、第１の無端搬送ベルト１７に対して下側から押し当てられた排出無端ベルト２５によって形成され、経路の切り換えは、排出無端ベルト２５の上流側に配置した流路切り換えブレード２９によって行われる。よって、揺動型の流路切り換えブレード２９が矢印Ａ方向に回転することで、反転予定でない紙葉類Ｓは、出口（ＯＵＴ２）から排出され、流路切り換えブレード２９が矢印Ｂ方向に回転することで、反転予定の紙葉類Ｓは、第２の無端搬送ベルト１９に沿いながら反転手段Ｐに向けて前進する。
【００１４】
さらに、このような搬送経路Ｈの途中には反転手段Ｐが設けられ、この反転手段Ｐは、鉛直方向に延在する円柱状の細長い反転部３０を有している。この反転部３０の両端は、ハウジング１４に取付けられたブラケット（図示せず）にネジを介して固定され、反転部３０は、ハウジング１４内の中央において繰り入れローラ２２と繰り出しローラ２３との間で上下に延在する。
【００１５】
図３に示すように、円柱状の反転部３０には、１８０度反転を可能にするゴム製の反転ベルト３１が、反転部３０に沿うようにして長手方向に対し斜めに掛け渡されている。この反転ベルト３１は、反転部３０の一部に掛けられた無端ベルトとしてハウジング１４内に収容され、この反転ベルト３１は、側板１２にブラケット３２を介して固定されたモータ（駆動手段）Ｍの駆動プーリ３４によって一方向に駆動し続ける。
【００１６】
反転ベルト３１の連続駆動を可能にするため、図１及び図２に示すように、繰り入れローラ２２に対向する位置に入口側プーリ３５が配置され、繰り出しローラ２３に対向する位置に出口側プーリ３６が配置され、入口側プーリ３５と出口側プーリ３６は、反転部３０の入口側と出口側において、１８０度捻られた位相関係をもって配置される。さらに、上下に延在する反転部３０を挟んで前側には、第１の中間プーリ３７が配置され、後側には第２の中間プーリ３８が配置され、反転部３０の出口側において、反転ベルト３１は、出口側プーリ３６及び第１の中間プーリ３７に架け渡される。
【００１７】
これに対し、反転部３０の入口側において、反転ベルト３１は、入口側プーリ３５及び第２の中間プーリ３８に架け渡される。そして、反転ベルト３１は、駆動プーリ３４を介して第１及び第２の中間プーリ３７，３８に架け渡される（図２参照）。これにより、反転ベルト３１は、反転部３０上で一方向に流れるように移動し続け、その結果、反転部３０の入口側から入ってきた紙葉類Ｓは、反転部３０と反転ベルト３１とで挟まれながら、反転部３０の軸線Ｌに沿って移動し続け、最終的に、出口側で１８０度反転することになる（図３参照）。
【００１８】
このように構成された反転手段Ｐでは、紙葉類Ｓの高速かつ確実な反転が望まれており、これを達成するため、紙葉類Ｓは、反転ベルト３１に対して高摩擦抵抗を維持しつつ、反転部３０に対して低摩擦抵抗が要求される。
【００１９】
そこで、図４及び図５に示すように、反転部３０の表面には、斜め掛けされた反転ベルト３１の表面に沿うようにして、複数のエアー吹出し孔４０が形成されている。各エアー吹出し孔４０は、適切な吹出し圧を維持するために直径１ｍｍ程度に形成され、一点鎖線で囲まれたベルト掛け領域Ｒ内で一列５〜６個程度をもって長手方向に整列させている。各エアー吹出し孔４０は、反転部３０内で長手方向に延在するエアー通路４１と連通し、このエアー通路４１は、反転部３０にネジ止めされた継ぎ手４２に連通される。そして、この継ぎ手４２には、エアーポンプ４３（図１参照）が接続されている。
【００２０】
よって、エアー吹出し孔４０から所定圧のエアーを吹き出すことで、紙葉類Ｓを反転部３０の表面から僅かに浮かせることができる。従って、反転部３０と反転ベルト３１との協働によって紙葉類Ｓを反転させる際、反転部３０に対しては、低摩擦抵抗をもって紙葉類Ｓを搬送させることができるので、紙葉類Ｓは、反転ベルト３１の掛け渡し方向に沿ってスムーズに表裏反転することになる。また、吹出しエアーを利用することで、紙葉類Ｓの高速反転中において、反転ベルト３１や紙葉類Ｓの発熱を抑えることができる。そして、紙葉類Ｓの確実な表裏反転と、紙葉類Ｓの表裏反転にかかる処理時間の短縮と、紙葉類Ｓの斜行防止とが適切に図られる。
【００２１】
本発明は、前述した実施形態に限定されるものではない。上記実施形態では、エアー吹出し部の一例としてエアー吹出し孔４０を採用したが、エアー吹出し部の他の例としては、ベルト掛け領域Ｒにおいて、反転部３０の長手方向又は長手方向に直交する方向に複数本の細長いスリットを並設してもよい。
【００２２】
【発明の効果】
本発明による表裏反転装置は、以上のように構成されているため、次のような効果を得る。すなわち、搬送経路上で搬送される紙葉類の表裏を反転させるための表裏反転装置において、紙葉類の搬送方向に延在する反転部と、一部が反転部に沿うようにして、反転部の長手方向に対し斜めに掛けられた反転ベルトと、反転ベルトを駆動させる駆動手段と、反転ベルトに沿って反転部の表面に形成された複数のエアー吹出し部とを備えたことにより、紙葉類の表裏反転にかかる処理時間の短縮化を可能にする。
【図面の簡単な説明】
【図１】本発明に係る表裏反転装置の一実施形態を示す側面図である。
【図２】図１に示した表裏反転装置の正面図である。
【図３】反転部と反転ベルトとの関係を示す斜視図である。
【図４】図１に示した表裏反転装置に適用する反転部の正面図である。
【図５】反転部の横断面図である。
【符号の説明】
１０…表裏反転装置、３０…反転部、３１…反転ベルト、４０…エアー吹出し孔（エアー吹出し部）、Ｈ…搬送経路、Ｍ…モータ（駆動手段）、Ｓ…紙葉類。
【図１】
2004189399.tif 000003
【図２】
2004189399.tif 000004
【図３】
2004189399.tif 000005
【図４】
2004189399.tif 000006
【図５】
2004189399.tif 000007